(57)【要約】【課題】多重画像のような一連のグループ画像に対して、撮像装置の記録媒体内の画像ファイルと外部装置へ転送した画像ファイルに対して関連性のあるファイル名を付与する。【解決手段】撮影画像を生成する撮影手段と、前記撮影手段により生成された所定駒数の撮影画像を一連のグループ画像として合成する合成手段と、前記撮影手段によりグループ画像として撮影された撮影画像のいずれを記録媒体に記録するかを指定する記録指定手段と、撮影画像を外部機器に送信する通信手段と、グループ画像として撮影した撮影画像のいずれを送信するかを指定する送信指定手段と、前記記録指定手段と前記送信指定手段の指定状態に基づき、送信する画像のファイル名の命名方法を、予め設定された命名方法とは異なる方法に変更するファイル名設定手段とを設ける。【選択図】図１
2015144389.tif 000002
【特許請求の範囲】
【請求項１】
撮影画像を生成する撮影手段と、
前記撮影手段により生成された所定駒数の撮影画像を一連のグループ画像として合成する合成手段と、
前記撮影手段によりグループ画像として撮影された撮影画像のいずれを記録媒体に記録するかを指定する記録指定手段と、
撮影画像を外部機器に送信する通信手段と、
グループ画像として撮影した撮影画像のいずれを送信するかを指定する送信指定手段と、
前記記録指定手段と前記送信指定手段の指定状態に基づき、送信する画像のファイル名の命名方法を変更するファイル名設定手段と、
を有することを特徴とする撮像装置。
【請求項２】
前記グループ画像は、画像を合成するための複数の素材画像からなることを特徴とする請求項１に記載の撮像装置。
【請求項３】
前記グループ画像は、合成画像を含むことを特徴とする請求項２に記載の撮像装置。
【請求項４】
前記ファイル名設定手段は、グループ画像のファイル名に対して連続した番号を付すことを特徴とする請求項１〜３の何れか１項に記載の撮像装置。
【請求項５】
前記ファイル名設定手段は、グループ画像のファイル名に対してプリフィックス、あるいはサフィックスの何れかを付すことを特徴とする請求項１〜３の何れか１項に記載の撮像装置。
【請求項６】
撮影画像を生成する撮影工程と、
前記撮影工程において生成された所定駒数の撮影画像を一連のグループ画像として合成する合成工程と、
前記撮影工程においてグループ画像として撮影された撮影画像のいずれを記録媒体に記録するかを指定する記録指定工程と、
撮影画像を外部機器に送信する通信工程と、
グループ画像として撮影した撮影画像のいずれを送信するかを指定する送信指定工程と、
前記記録指定工程と前記送信指定工程の指定状態に基づき、送信する画像のファイル名の命名方法を変更するファイル名設定工程と、
を有することを特徴とする撮像装置の制御方法。
【請求項７】
請求項１に記載の撮像装置の各手段としてコンピュータを機能させることを特徴とするプログラム。
【請求項８】
請求項７に記載のプログラムを記憶したことを特徴とするコンピュータ読み取り可能な記憶媒体。
【発明の詳細な説明】
【技術分野】
【０００１】
本発明は撮像装置及び撮像装置の制御方法に関し、特に、撮影した画像データを外部装置等に転送する際に用いて好適な技術に関する。
【背景技術】
【０００２】
従来、撮影した複数のデジタル画像データを加算処理することにより、合成した画像データを記録する撮像装置が知られている。例えば、特許文献１では複数枚のデジタル画像データを合成する撮影として多重撮影について記載されている。特に、多重撮影における合成前の複数の元画像と、合成後の多重撮影画像を記録媒体に保存するかしないかを選択することが可能な撮像装置について記載されている。
【先行技術文献】
【特許文献】
【０００３】
【特許文献１】特開２００６−３５１２２９号公報
【発明の概要】
【発明が解決しようとする課題】
【０００４】
しかしながら、前述の特許文献に開示された従来技術では、多重撮影によって生成された画像を外部装置に転送することについては考慮されていない。上述のように、多重撮影によって生成される画像には、複数の元画像と、合成後の多重撮影画像とが存在する。故に、複数の元画像も送信する場合や合成後の多重撮影画像だけを送信する場合など、ユーザの好みに応じて様々な状況が生じ得る。このような状況を考慮した場合、以下のような問題が考えられる。
【０００５】
一般的に、撮像装置は、撮影した画像データを記録媒体に画像ファイルとして保存する場合、特定の規則、例えばＤＣＦ規格（Design rule for Camera File system）の規則に則りファイル名が付与される。
【０００６】
したがって、画像ファイルを記録媒体に保存する場合、ファイルには連続したファイル番号を付して保存される。例えば複数の元画像と、合成後の多重撮影画像との両方を保存する場合には、それぞれに連続したファイル番号が付されることになる。しかし、元画像を保存しない場合は、元画像にはＤＣＦ規格に則った番号を付与せず、記録媒体に保存される画像に対して空きが無いように記録することが望まれる。この状況で、保存しない元画像を、外部装置に転送する場合が考えられる。例えば、撮像装置のように記録容量に限りがある場合には、合成後の多重撮影画像のみを保存し、一方でバックアップとして外部機器には多重撮影画像と元画像とを転送するようなシーンが考えられる。この場合、外部装置に転送する元画像に対してファイル名を付与する必要がある。
【０００７】
本発明は上記の点に鑑み、外部装置へ転送する画像ファイルに対して適切にファイル名を付与することを目的とする。
【課題を解決するための手段】
【０００８】
本発明の撮像装置は、撮影画像を生成する撮影手段と、前記撮影手段により生成された所定駒数の撮影画像を一連のグループ画像として合成する合成手段と、前記撮影手段によりグループ画像として撮影された撮影画像のいずれを記録媒体に記録するかを指定する記録指定手段と、撮影画像を外部機器に送信する通信手段と、グループ画像として撮影した撮影画像のいずれを送信するかを指定する送信指定手段と、前記記録指定手段と前記送信指定手段の指定状態に基づき、送信する画像のファイル名の命名方法を変更するファイル名設定手段と、を有することを特徴とする。
【発明の効果】
【０００９】
本発明によれば、外部装置へ転送する画像ファイルに対して適切なファイル名を付与することが可能となる。
【図面の簡単な説明】
【００１０】
【図１】本発明の実施形態に係る撮像装置の構成例を示す概略ブロック図である。
【図２】本発明の実施形態に係る表示装置の多重露出機能設定画面の表示例を示す図である。
【図３】本発明の実施形態に係る多重露出撮影の手順を説明するフローチャートである。
【図４】本発明の実施形態に係る撮像装置の多重露出撮影機能動作を説明するフローチャートである。
【図５】本発明の実施形態に係る撮像装置のファイル名決定機能を説明するフローチャートである。
【図６】本発明の実施形態に係る撮像装置のクイックレビュー機能動作を説明するフローチャートである。
【図７】本発明の実施形態に係る撮像装置の多重画像記録機能を説明するフローチャートである。
【図８】本発明の実施形態に係る撮像装置の画像転送機能を説明するフローチャートである。
【図９】本発明の実施形態に係る多重露出撮影を行った場合に記録媒体に記録されるファイルのファイル名と、転送先ファイルのファイル名の例を説明する図である。
【発明を実施するための形態】
【００１１】
[第１の実施形態]
以下、図１を参照して、本発明の第1の実施形態による撮像装置について説明する。
図１は、カメラ（カメラ本体）１００の構成例を示す概略ブロック図である。
カメラマイコン１２３は、カメラ１００の制御を行うメインのマイクロコンピュータであり、電源制御、スイッチ制御、レンズ制御、測光、測距制御、シャッター制御、無線通信等の制御等を行う。
【００１２】
カメラマイコン１２３には、電源回路１１９、レリーズ釦であるＳＷ１、ＳＷ２、後述するＧＵＩ（グラフィカル・ユーザ・インターフェース）を操作するメニューボタンなどのスイッチアレイである操作部材１２２が接続されている。また、発振回路１２５、無線通信回路１０２、焦点検出回路１０３、測光回路１０４、ＬＣＤ駆動回路１０５、シャッター制御回路１０８、モータ１０９を制御するモータ制御回路１１０、画像処理エンジン１２４等が接続されている。
【００１３】
交換可能な撮影レンズを有し、レンズ内に配置されたレンズ制御回路としてのレンズマイコン１２６とマウント接点を介して信号の伝達がなされる。焦点検出回路１０３は、カメラマイコン１２３の信号に従い、測距センサの蓄積制御と読み出し制御を行って、それぞれの画素情報をカメラマイコン１２３に出力し、周知の位相差検出法による焦点検出を行う。カメラマイコン１２３は焦点検出情報により、レンズマイコン１２６と信号のやりとりを行うことによりレンズの焦点調節(ＡＦ)を行う。
【００１４】
測光回路１０４は被写体の輝度信号として、測光センサからの輝度信号出力をカメラマイコン１２３に出力し周知の絞り値の演算とシャッタースピードの演算などの露出演算(ＡＥ)を行う。
【００１５】
シャッター制御回路１０８は、カメラマイコン１２３からの信号に従って、フォーカルプレンシャッターを構成する２つのシャッター駆動マグネットを制御し、シャッター幕を走行させ、露光動作を担っている。
【００１６】
ＳＷ１は、レリーズ釦の第１ストロークでオンし、ＡＥ、ＡＦを開始するスイッチとなる。ＳＷ２は、レリーズ釦の第２ストロークでオンし、露光動作を開始するスイッチとなる。ＳＷ１、ＳＷ２及びその他カメラの操作部材からの信号は、カメラマイコン１２３が検知する。
【００１７】
ＬＣＤ駆動回路１０５は、ファインダー内ＬＣＤ１０６とモニタ用ＬＣＤ１０７の表示をカメラマイコン１２３からの信号に従って制御している。
画像処理エンジン１２４は、主にデジタル画像処理を行うプロセッサであり、タイミングジェネレータ（ＴＧ）１１２を介して撮像センサ１１１の蓄積制御、読み出し制御を行う。
【００１８】
読み出された画像信号は、ＡＤコンバータ１１３によりアナログ＝デジタル変換され、既知の色補完処理やホワイトバランス処理、ガンマ処理等の現像処理が行われ、最終的にＪＰＥＧ等のデジタル画像データに変換されＤＲＡＭ１１７に一時保存される。さらに、ＴＦＴ表示装置１１５にクイックレビュー表示され、記録媒体１１６へ記録される。
【００１９】
また、画像処理エンジン１２４は、ＤＲＡＭ１１７上の２つ以上の現像データの加算や、現像データから階調を高ビット化した高精度データの生成や、またその両方の処理を同時に実施し、結果をＤＲＡＭ１１７に書き戻すことが可能である。
また、ＴＦＴ表示装置１１５には、カメラ１００の設定を行うためメニュー画面も表示され、操作部材１２２を用いてカメラ１００の各種設定、多重撮影に関する設定、ネットワークの設定等ができるように構成されている。
【００２０】
また、本実施形態のカメラ１００では、無線通信回路１０２、無線アンテナ１０１を用いてネットワークに接続する。そして、ネットワーク上のＰＣ（パーソナルコンピュータ：不図示）等の外部記録媒体に対して、撮影した画像データをユーザの指示に基づき転送可能に構成されている。
【００２１】
次に、多重撮影に係る設定項目を設定する方法について説明する。
図２は、多重撮影に係る設定を行うメニュー画面の一例を示す図であり、操作部材１２２のメニューボタンの操作によって、ＴＦＴ表示装置１１５に表示される。
このメニュー画面では、操作部材１２２の操作によって、メニュー項目Ｇ１０１、Ｇ１０２、Ｇ１０３、Ｇ１０４、Ｇ１０５の選択を行い、決定操作をすることでメニュー項目の設定を確定する。
【００２２】
次に、各項目についての説明を行う。
Ｇ１０１は多重撮影機能の状態を選択するメニュー項目であり、「する」・「しない」の２つの項目内容が選択可能である。
ユーザが本項目を「する」に設定すると、カメラ１００は以降の撮影で多重露出撮影を行う「多重露出撮影開始状態」となる。
また、「多重露出撮影開始状態」において撮影を行った場合、「多重露出撮影中状態」になるものとする。
【００２３】
「多重露出撮影中状態」において、ユーザが本項目を「しない」に設定すると、その時点で多重露出撮影を終了し、カメラ１００は「通常撮影状態」となる。その時、画像処理エンジン１２４は、多重撮影画像が生成可能であれば生成する。
【００２４】
Ｇ１０２は、多重露出撮影において画像を重ねる多重露出撮影予定枚数を選択するメニュー項目であり、「２」から「９」までの画像枚数を選択可能である。なお、本項目は「多重露出撮影中状態」では、選択して変更することができない。
撮影により本項目で設定した枚数の画像に達すると、カメラ１００は多重露出撮影を終了して「通常撮影状態」となり、多重撮影画像を生成する。
【００２５】
Ｇ１０３は多重露出撮影における自動露出調整機能の実行状態を選択するメニュー項目であり、「する」・「しない」の２つの項目内容が選択可能である。なお、本項目は「多重露出撮影中状態」では、選択して変更することができない。本項目は、多重露出撮影が終了すると、「しない」に設定される。
【００２６】
Ｇ１０４は、記録媒体１１６に記録する画像の種類を選択するメニュー項目である。本項目では、多重露出撮影において合成される前の画像データ（本実施形態では素材画像と称することとする）と、複数の素材画像を合成した合成画像である多重画像について、記録媒体１１６に記録するかしないかを選択するメニュー項目である。
【００２７】
本メニュー項目を操作部材１２２の操作によって選択すると図２（ｂ）のメニュー項目がＴＦＴ表示装置１１５に表示される。本メニュー項目では、Ｇ１０６の「多重画像のみ」とＧ１０７の素材画像、多重画像とも記録する「全画像」の２つの項目内容を選択する。なお、本項目は「多重露出撮影中状態」では、選択して変更することができない。
【００２８】
Ｇ１０５は、多重露出撮影における外部機器へ転送する画像データを選択するメニュー項目である。本メニュー項目を、操作部材１２２の操作によって選択すると、図２（ｃ）のメニュー項目がＴＦＴ表示装置１１５に表示される。本メニュー項目では、Ｇ１０８の素材画像、多重画像とも「転送しない」、Ｇ１０９の多重画像のみを転送する「多重画像のみ」、Ｇ１１０の素材画像、多重画像とも転送する「多重画像＋素材画像」の３項目から選択する。なお、本項目は「多重露出撮影中状態」では、選択して変更することができない。
【００２９】
次に、多重露出撮影におけるカメラマイコン１２３の処理を図３のフローチャートを用いて説明する。
カメラマイコン１２３は、多重露出を開始すると、撮影動作を指示するスイッチＳＷ２がオンか否かを判定し（Ｓ３０１）、スイッチＳＷ２がオンであれば多重露出撮影機能を開始する（Ｓ３０２）。カメラマイコン１２３は、スイッチＳＷ２がオンでないと判定すると、再度スイッチＳＷ２がオンか否かの判定に戻る。多重露出撮影機能についての詳細な説明は後述する。
【００３０】
多重露出撮影機能が終了すると、カメラマイコン１２３は、カメラ１００の状態を「多重露出撮影中状態」へ変更し（Ｓ３０３）、その時点での多重露出撮影完了枚数が、多重露出撮影予定枚数に達したかどうかを判定する（Ｓ３０４）。
【００３１】
Ｓ３０４の判定において、カメラマイコン１２３は、多重露出撮影予定枚数に達していないと判定すると再度（Ｓ３０１）に戻り多重露出撮影を継続する。
一方、Ｓ３０４の判定において、多重露出撮影完了枚数が多重露出撮影予定枚数に達していれば、カメラマイコン１２３は、多重画像保存機能を実行し（Ｓ３０５）、多重画像保存機能が終了すると撮影画像の転送機能を実行する（Ｓ３０６）。
Ｓ３０５における多重画像記録機能およびＳ３０６における画像転送機能についての詳細は後述する。
続いて、カメラマイコン１２３はカメラ１００の状態を「通常撮影状態」へ戻し（Ｓ３０７）、一連の多重露出撮影の処理を終了する。
【００３２】
次に、多重露出撮影機能におけるカメラマイコン１２３の処理を図４のフローチャートを用いて説明する。
先ず、多重露出撮影機能を開始すると、カメラマイコン１２３は、ファイル名設定機能を実行する（Ｓ４０１）。ファイル名は、撮影した画像データを記録媒体１１６、あるいはＰＣ等の転送先にファイルとして記録するために撮影画像データ毎に設定される。
ファイル名設定機能についての詳細な説明は後述する。
【００３３】
次に、カメラマイコン１２３は、撮像センサ１１１の蓄積制御、画像信号の読み出し制御等の撮影処理を行う（Ｓ４０２）。撮影処理が終わるとカメラマイコン１２３は、画像処理エンジン１２４に対して読み出した画像信号に対して現像処理を行い現像データの生成を指示する（Ｓ４０３）。ここで生成された現像データは、多重露出される前の素材画像データである。この素材画像データはＤＲＡＭ１１７に一時保存される。
【００３４】
次に、カメラマイコン１２３は、撮影画像の保存Ｇ１０４について、ユーザにより「全画像」Ｇ１０７が選択されているか否かを判定する（Ｓ４０４）。
カメラマイコン１２３は、「全画像」Ｇ１０７が選択されていると判定すると素材画像データに対して、Ｓ４０１でファイル名設定機能にて設定されたファイル名を付したファイルを作成する。そして、記録媒体１１６に記録を行うように画像処理エンジン１２４に対して指示する記録指定処理を行う（Ｓ４０５）。
【００３５】
カメラマイコン１２３は、Ｓ４０４において、ユーザにより「全画像」Ｇ１０７が選択されていないと判定すると、すなわち「多重画像のみ」Ｇ１０６が選択されていると判定し、記録媒体１１６へ素材画像データの書込み記録の指示は行わない。
【００３６】
次に、カメラマイコン１２３は、多重撮影完了枚数が１枚以上か否かを判定する（Ｓ４０６）。多重撮影完了枚数が１以上であると判定した場合、前回までに撮影しＤＲＡＭ１１７上に一時保存されている現像データと、今回撮影した現像データを合成して多重現像データを生成するよう画像処理エンジン１２４に指示する。この指示を受けると、画像処理エンジン１２４は、一連のグループ画像として撮影された所定駒数の素材画像を合成して多重画像を生成する多重画像生成処理を実行し（Ｓ４０７）、さらにＴＦＴ表示装置１１５を用いてクイックレビューを行う（Ｓ４０８）。
【００３７】
また、Ｓ４０６においてカメラマイコン１２３は、多重撮影完了枚数が１以上ないと判定した場合、つまり多重撮影完了枚数が０であれば、画像処理エンジン１２４に指示し、ＴＦＴ表示装置１１５を用いてクイックレビューを行う（Ｓ４０８）。クイックレビューが終了するとカメラマイコン１２３は、多重撮影完了枚数に１を加えて多重撮影機能を終了する（Ｓ４０９）。
クイックレビュー機能についての詳細は後述する。
【００３８】
次に、本実施形態のカメラ１００で撮影した画像データを記録媒体１１６に記録する場合のファイル名の構成について説明する。
記録媒体１１６へ画像データをファイルとして記録する構造はＤＣＦ規格（Design rule for Camera File system）に準拠して構成されるものとする。ＤＣＦ規格では、最上位に「ＤＣＩＭ」というフォルダ名が規定され、このフォルダＤＣＩＭの１階層下の第２階層には、３桁の数字からなるフォルダ番号Ｍと５つの文字からなるフォルダ識別名Ｆから構成されるフォルダ名が規定される。
【００３９】
また、第２階層下の第３階層には、４つの文字からなるファイル識別名Ｐと、４桁の数字からなるファイル番号Ｎと、３桁の拡張子からなるファイル名が規定される。本実施形態において標準のファイル識別名Ｐを「ＩＭＧ＿」とすると、記録媒体１１６には、第２階層のフォルダの１階層下に、画像データである９９９９個のファイル（「ＩＭＧ＿０００１.ＪＰＧ」〜「ＩＭＧ＿９９９９.ＪＰＧ」）が記録されることになる。よって、撮影毎に連続したファイル番号Ｎが付与されたファイル名を持つ画像ファイルが記録媒体１１６に記録されることになる。
【００４０】
次に、ファイル名設定機能におけるカメラマイコン１２３の処理を、図５のフローチャートを用いて説明する。
まず、カメラマイコン１２３は、ファイル番号Ｎを決定する（Ｓ５０１）。ファイル番号Ｎは、カメラ１００の電源が入れられた際に、カメラマイコン１２３により記録媒体１１６に記録されているファイルから最大のファイル番号をもつファイル名を検索する。そして、次に生成するファイルのファイル番号の次の値をファイル番号Ｎとして決定し、カメラマイコン１２３にて一時記憶される。ファイル番号Ｎの検索の詳細については既知である。
【００４１】
次に、カメラマイコン１２３は、撮影画像の保存Ｇ１０４について、ユーザにより「多重画像のみ」Ｇ１０６が選択されているか否かを判定する（Ｓ５０２）。ここでの判定は、図４のＳ４０４に対応する。すなわち、Ｓ５０２での判定結果がＹｅｓの場合は、図４のＳ４０４ではＮｏとなり、Ｓ５０２での判定結果がＮｏの場合は、図４のＳ４０４ではＹｅｓとなる。「多重画像のみ」Ｇ１０６が選択されていると判定するとカメラマイコン１２３は、ファイル識別名Ｐの先頭文字を多重撮影完了枚数に１を加えた数字になるように設定する（Ｓ５０３）。例えば、多重撮影完了枚数が“０”であればファイル識別名Ｐは「１ＭＧ＿」、多重撮影完了枚数が“１”であれば「２ＭＧ＿」となる。
【００４２】
次に、カメラマイコン１２３は、ファイル番号Ｎとファイル識別名Ｐより８文字のファイル名を決定する（Ｓ５０４）。例えば、ファイル番号Ｎが１２３４であり、ファイル識別名Ｐが「１ＭＧ＿」であれば、ファイル名は「１ＭＧ＿１２３４」となる。
【００４３】
一方、Ｓ５０２の判定において、カメラマイコン１２３が、撮影画像の保存Ｇ１０４について「多重画像のみ」Ｇ１０６が選択されていないと判定した場合、処理はＳ５０５に進む。すなわち、「全画像」Ｇ１０７が選択されていると判定すると、カメラマイコン１２３は、ファイル識別名ＰをＩＭＧとして（Ｓ５０５）、ファイル名をファイル番号Ｎとファイル識別名ＰをＩＭＧとして８文字のファイル名を決定する（Ｓ５０６）。例えば、ファイル番号Ｎが１２３４、ファイル名は「ＩＭＧ＿１２３４」となる。
【００４４】
次に、カメラマイコン１２３は、ファイル番号Ｎに１を加えて（Ｓ５０７）、ファイル名設定機能を終了する。すなわち、撮影画像の保存Ｇ１０４の設定内容に基づきファイル識別名Ｐが決定される。
以上のように、カメラマイコン１２３は、保存する画像の指定状態に基づいて、ファイル名の命名方法を、予め設定された命名方法とは異なる方法に変更する。
【００４５】
次に、クイックレビューについて、カメラマイコン１２３の処理を図６のフローチャートを用いて説明する。
クイックレビューは、直近の撮影によって生成した多重現像データをＴＦＴ表示装置１１５に再生し、多重露出撮影やりなおしを指示する選択項目「一枚もどる」も合わせて表示される。よってユーザは、多重露出撮影結果を確認し、直近の撮影画像を破棄し、前回までの多重露出撮影から多重露出撮影をやり直すことが可能である。
【００４６】
カメラマイコン１２３は、クイックレビューを開始すると、操作部材１２２の状態を確認して、ユーザによる次の撮影を指示するスイッチＳＷ２がオンにされたか否かを判定する（Ｓ６０１）。
【００４７】
次の撮影への指示があった場合、カメラマイコン１２３は、転送する画像Ｇ１０５についてユーザにより「全画像」Ｇ１１０が選択されているか否かを判定する（Ｓ６０２）。カメラマイコン１２３は、「全画像」Ｇ１１０が選択されていると判定すると、素材画像データのファイル情報を転送リストに追加して（Ｓ６０３）クイックレビューを終了する。転送リストとは、後に説明する撮影画像転送機能にて参照されるリストであり、転送リストにあるファイルが外部機器への転送対象となる。
【００４８】
一方、Ｓ６０１の判定において、次の撮影の指示が無い場合は、カメラマイコン１２３は、ユーザにより「一枚戻る」が選択されているかを判定する（Ｓ６０４）。カメラマイコン１２３は、「一枚戻る」が選択されていないと判定すると、Ｓ６０１に戻って次の撮影指示があるか否かを繰り返し判定する。
【００４９】
カメラマイコン１２３は、「一枚戻る」が選択されたと判定すると、撮影画像の保存Ｇ１０４について、ユーザにより「全画像」Ｇ１０７が選択されているか否かを判定する（Ｓ６０５）。「全画像」Ｇ１０７が選択されていると判定すると、直近に記録媒体１１６に記録した素材画像データのファイルを削除するように画像処理エンジン１２４に指示する。
次に、カメラマイコン１２３は、ファイル番号Ｎを１減らす（Ｓ６０７）。
【００５０】
一方、Ｓ６０５の判定において、カメラマイコン１２３は、「全画像」が選択されていないと判定すると、直近の素材画像データである現像データと直近の多重現像データをＤＲＡＭ１１７から削除するように画像処理エンジン１２４に指示する。
【００５１】
次に、カメラマイコン１２３は、多重撮影完了枚数も１減らし（Ｓ６０９）、クイックレビューを終了する。
このように直近の撮影による多重撮影をキャンセルし、１つ前の多重撮影まで戻ることが可能である。
【００５２】
次に、多重画像記録機能について、カメラマイコン１２３の処理を図7のフローチャートを用いて説明する。
先ず、カメラマイコン１２３はファイル番号Ｎを決定し（Ｓ７０１）、ファイル識別名ＰをＩＭＧとして（Ｓ７０２）、ファイル番号がＮ、ファイル識別名ＰがＩＭＧとして、８文字のファイル名を決定する（Ｓ７０３）。
【００５３】
次に、カメラマイコン１２３は、Ｓ７０３で決定したファイル名を付したファイルを作成し、多重現像データを記録媒体１１６に記録を行うように画像処理エンジン１２４に対して指示する（Ｓ７０４）。
次に、カメラマイコン１２３は、ファイル番号Ｎに１を加える（Ｓ７０５）。
【００５４】
次に、カメラマイコン１２３は、ユーザにより転送する画像Ｇ１０５について「転送しない」Ｇ１０８が選択されていないか否かの判定を行う（Ｓ７０６）。「転送しない」Ｇ１０８が選択されていると判定すると、カメラマイコン１２３は、多重露出撮影予定枚数のリセットを行い（Ｓ７０７）、多重画像記録機能を終了する。
【００５５】
一方、「転送しない」Ｇ１０８が選択されていないと判定すると、カメラマイコン１２３は、多重画像データのファイル情報を転送リストに追加する（Ｓ７０８）。
次に、カメラマイコン１２３は、多重露出撮影予定枚数のリセットを行い（Ｓ７０７）、多重画像記録機能を終了する。
【００５６】
次に、画像転送処理機能について、カメラマイコン１２３の処理を、図８のフローチャートを用いて説明する。ここで、カメラ１００は、ユーザによって画像の転送先であるＰＣ（不図示）とネットワークによって接続可能に設定されているものとして説明を行う。
【００５７】
先ず、カメラマイコン１２３は、転送リスト上にファイル情報があるか否かを判定する（Ｓ８０１）。ここで転送リストとは、カメラマイコン１２３が転送するファイル情報を管理する情報であり、転送すべきファイル名が一覧としてカメラマイコン１２３内のＲＡＭ（不図示）に一時保存されているものとする。
【００５８】
カメラマイコン１２３は、この転送リストに記録されているファイルを記録媒体１１６から順次読み出して、外部の記録媒体に転送するよう制御する。なお、転送リストはカメラマイコン１２３内のＲＡＭではなく、記録媒体１１６にファイルとして記録するように構成してもよい。
【００５９】
Ｓ８０１の判定において、転送リストにファイル情報がある場合はＳ８０２に進む。
Ｓ８０２において、カメラマイコン１２３は、転送リストの先頭のファイルを画像処理エンジン１２４に指示して記録媒体１１６から読み出し、転送先であるＰＣに対して無線通信回路１０２を制御して転送する。
【００６０】
次に、カメラマイコン１２３は、転送したファイルのファイル情報を、転送リストから削除して転送リストを更新する（Ｓ８０３）。そして、Ｓ８０１に戻り、転送リストにファイル情報があるかの判定を繰り返す。
Ｓ８０１で転送リストにファイル情報が無いと判定すると、すべてのファイルの転送が完了したことになり、カメラマイコン１２３は画像転送処理を終了する。
【００６１】
次に、本実施形態において重ねる枚数を２枚に設定し、多重露出撮影を行った場合の記録媒体１１６に記録されるファイルのファイル名と、転送先ファイルのファイル名の例について、図９を用いて説明をする。
図９の（ａ１）、（ａ２）は、撮影画像の保存Ｇ１０４が「全画像」Ｇ１０７、転送する画像Ｇ１０５について「全画像」Ｇ１１０が選択されている場合について、各々カメラ１００の記録媒体１１６と転送先に記録されるファイル名の一例を示している。
【００６２】
図９の（ｂ１）、（ｂ２）は、撮影画像の保存Ｇ１０４が「多重画像のみ」Ｇ１０６、転送する画像Ｇ１０５について「全画像」Ｇ１１０が選択されている場合について、各々カメラ１００の記録媒体１１６と転送先に記録されるファイル名の一例を示している。
【００６３】
図９の（ｃ１）、（ｃ２）は、撮影画像の保存Ｇ１０４が「全画像」Ｇ１０７、転送する画像Ｇ１０５について「多重画像のみ」Ｇ１０９が選択されている場合について、各々カメラ１００の記録媒体１１６と転送先に記録されるファイル名の一例を示している。
【００６４】
このように、記録媒体１１６内に記録されるファイルと転送先に記録されるファイルにおいて、同一の画像データのファイルについては、同一番号のファイル名が付される。
また、図９の（ｂ１）、（ｂ２）に示すように、転送先にのみ素材画像データを転送する送信指定が行われている場合には、ファイルの先頭を変えるようにした。これにより、ファイル名を変えながら多重画像データのファイル番号と素材画像のファイル番号とが同一であるので、グループ画像であることが容易に判別可能となる。
【００６５】
以上、本実施形態では、転送先にのみ記録するファイルについて、ファイルの先頭文字を変えることで、グループ画像であることが判別できるように構成した。しかし、例えばファイル名の前後に、グループ画像毎にサフィックス、プリフィックスのように識別文字を付けるようにしてもよく、その要旨の範囲内で種々の変形及び変更が可能である。
【００６６】
また、素材画像のファイルをグループ毎にフォルダを作成し、その中にファイルを記録するように構成してもよい。
以上、本発明の好ましい実施形態について説明したが、本発明はこれらの実施形態に限定されず、その要旨の範囲内で種々の変形及び変更が可能である。
【００６７】
（その他の実施形態）
また、本発明は、以下の処理を実行することによっても実現される。即ち、前述した実施形態の機能を実現するソフトウェア（コンピュータプログラム）を、ネットワーク又は各種のコンピュータ読み取り可能な記憶媒体を介してシステム或いは装置に供給する。そして、そのシステム或いは装置のコンピュータ（またはＣＰＵやＭＰＵ等）がプログラムを読み出して実行する処理である。
【符号の説明】
【００６８】
１００  カメラ
１０１  無線アンテナ
１０２  無線回路
１１１  撮像センサ
１１５  表示装置
１１６  記録媒体
１１７  ＤＲＡＭ
１１９  電源回路
１２２  操作部材
１２３  カメラマイコン
１２４  画像処理エンジン
【図１】
2015144389.tif 000003
【図２】
2015144389.tif 000004
【図３】
2015144389.tif 000005
【図４】
2015144389.tif 000006
【図５】
2015144389.tif 000007
【図６】
2015144389.tif 000008
【図７】
2015144389.tif 000009
【図８】
2015144389.tif 000010
【図９】
2015144389.tif 000011